(57)【要約】【課題】変動表示部の表示態様の変化に対応して多彩かつ大きな演出効果を発揮できると共に、ステージ部材の面積を拡大してステージ上の打球の変化に面白みを与え遊技者の期待感を高められる遊技機を提供する。【解決手段】変動表示装置は、複数の図柄を変動表示可能な変動表示部と、変動表示部に隣設されて変動表示部における変動表示態様と関連付けられて遊技の演出を行う演出装置と、変動表示部および演出装置の前面側周縁部を包囲することで該変動表示部および演出装置の前側が開口した凹室を形成する枠体とで構成され、凹室に流入した遊技球を凹室内で転動させる転動部と始動入賞口の上方側へ遊技球を誘導するための誘導部とを有するステージ部を枠体の下辺部であって変動表示部前面側と演出装置前面側にわたって設けられている。【選択図】  図５
2004313598.tif 000002
【特許請求の範囲】
【請求項１】
遊技盤の遊技領域に、変動表示ゲームを実行可能な変動表示装置を配設するとともに、前記変動表示装置の下方側の遊技領域に遊技球の入賞に基づき前記変動表示ゲームを始動可能な始動入賞口を配設し、前記変動表示ゲームの結果態様に関連して遊技者にとって有利な特別遊技状態を発生可能な遊技機において、
前記変動表示装置は、
複数の図柄を変動表示可能な変動表示部と、
前記変動表示部に隣設されて、該変動表示部における変動表示態様と関連付けられて遊技の演出を行う演出装置と、
前記変動表示部および演出装置の前面側周縁部を包囲することで該変動表示部および演出装置の前側が開口した凹室を形成する枠体と、で構成され、
前記凹室に流入した遊技球を凹室内で転動させる転動部と、前記始動入賞口の上方側へ遊技球を誘導するための誘導部と、を有するステージ部を前記枠体の下辺部であって前記変動表示部前面側と演出装置前面側にわたって設けたことを特徴とする遊技機。
【請求項２】
前記凹室の右面部に隣接して遊技球が流下可能な流下溝を備え、
前記流下溝は、前記演出装置の前面から略垂直に前方に突出して前記凹室の右側壁を形成する円弧状の起立壁と、前記遊技領域を形成する区画壁との間に形成され、断面形状において少なくとも遊技球１個分の隙間を有することを特徴とする請求項１に記載の遊技機。
【請求項３】
前記変動表示装置は、側部下方に一体的に形成された側部装飾部材をさらに備え、
前記区画壁と連続するように配置されて前記流下溝が連続形成するとともに該流下溝を流下する遊技球を前記ステージ部側に誘導する誘導面が前記側部装飾部材の上面に形成されていることを特徴とする請求項２に記載の遊技機。
【請求項４】
前記側部装飾部材は、前記流下溝の下端部よりも下方位置に入賞口を設けたことを特徴とする請求項３に記載の遊技機。
【請求項５】
前記ステージ部は、前記変動表示部の前面側に位置する部位よりも前記演出装置の前面側に位置する部位の方が高くなるように設定され、
前記ステージ部における前記演出装置の前面側に位置する部位の前方に形成された前面壁に、始動記憶表示部を形成したことを特徴とする請求項１から４のいずれかに記載の遊技機。
【請求項６】
前記演出装置を、前記遊技領域を前面側に有する遊技盤の後面側から該遊技盤に取付られる取付部材に設けたことを特徴とする請求項１から５のいずれかに記載の遊技機。
【請求項７】
前記ステージ部の前記演出装置の前面側に位置する部位に、遊技球を前記凹室内に導入可能にする導入部と、遊技球を前記導入部側から前記変動表示部側に誘導する傾斜部とを隣接させて形成したことを特徴とする請求項１から６のいずれかに記載の遊技機。
【発明の詳細な説明】
【０００１】
【発明の属する技術分野】
本発明は、パチンコ遊技機などに代表される遊技機に関し、例えば、打玉が打込まれる遊技領域と、この遊技領域に設けられ複数種類の識別情報画像の変動表示を行って表示結果を導出する変動表示部を有する変動表示装置と、この変動表示部の変動表示態様に関連付けて制御することにより視覚的な演出効果を高める演出装置とを備え、上記変動表示部の表示結果が予め定められた特別の表示態様になった場合に所定の遊技価値を付与する弾球遊技機に関する。
【０００２】
【従来の技術】
従来、変動表示部を備えた遊技機の一例としてのパチンコ遊技機は、一般に、変動表示部で図柄を変動表示（これを変動表示ゲームともいう）し、その表示結果が予め定めた大当り図柄（特別結果態様）となったことを条件に、特別遊技状態を発生して特別変動入賞装置を開放し、遊技者が多量の遊技球（遊技価値）を獲得できるチャンスを提供して、興趣を高めるようになっていた。ここで、特別結果態様とは、変動表示部において複数の表示領域の各々に停止表示された各図柄が例えば、「１，１，１」、「２，２，２」・・・等のぞろ目数字の何れかを形成することをいう。このような変動表示ゲームは、変動表示部の変動表示制御を行なうことにより効果的に演出されていた。なお、変動表示部においては遊技価値の付与とは直接関係のないデモンストレーション的な演出も行なわれていた。ここでは、面白味のある表示により遊技者が遊技をより一層面白く行えるよう演出されていた。
【０００３】
このような弾球遊技機に関する発明として、変動表示部の周辺部分を装飾する装飾部材に可動演出装置を設け、該可動演出装置の動作と変動表示部の表示態様とを関連付けることで視覚的な演出効果を高めるようにしたものがある（特許文献１参照）。
【０００４】
【特許文献１】
特開平８−１３１６２１号公報
【０００５】
【発明が解決しようとする課題】
上記先願の弾球遊技機の可動演出装置は、変動表示部の図柄および背景の表示態様に関連付けて装飾部材を上下運動などさせていた。このため、可動演出装置は、変動表示部の演出を補強してその効果を高める演出表現をしているに過ぎないものであった。従って、従来の可動演出装置は、それのみでは独自の演出表現を行って大きな演出効果を発揮することが困難であるという課題があった。
【０００６】
また、特図始動口の上部に配設されているステージ部材の横幅は、一般に、変動表示部の横幅と同じかそれより狭く設定されているため、ステージ上を転がる打球の変化は短時間で終わってしまい、かつ単調なものとなるため、遊技者がその変化にそれほど面白みを感じることがないという課題があった。さらに、ステージ部材の横幅が狭く設定されているため、特図始動口の上部に打玉が存在する時間も短かった。このため、打玉がステージ部材から始動入賞誘導路を介して特図始動口へ入賞するのではないかという期待感を遊技者に十分与えることができないという課題があった。
【０００７】
また、上記先願発明（特許文献１）では、前記変動表示部を透視可能なカバー部材よりも後方側に配置して前記変動表示部よりも前方側に形成された空間内に可動演出装置を配設して、変動表示ゲームの演出効果を高めているが、上記空間は、ステージ部材と変動表示部の間であって、非常に狭いため、小型の可動演出装置を１つ配設するだけで空間が占有されてしまう。このため、上記先願発明（特許文献１）では、大型の可動演出装置を設けて大きな演出効果を発揮することは困難である。また、上記空間に可動演出装置を配設すると、その分、ステージ部材の面積（奥行き）が狭くなるため、打球がステージ部材に乗って転がる確率が低くなる。そのため、特図始動口へ入賞するのではないかという期待感を遊技者に十分与えることができない。このように、上記先願発明（特許文献１）は、依然として大きな視覚的な演出効果を発揮できず、興趣の高い遊技機を提供できないという不具合がある。
【０００８】
本発明は、上記課題を解決するためになされたもので、変動表示部の表示態様の変化に対応して多彩かつ大きな演出効果を発揮できると共に、ステージ部材の面積を拡大することによりステージ上における打球の変化に面白みを与えかつ遊技者の期待感を高めることができる遊技機を提供することを目的とする。
【０００９】
【課題を解決するための手段】
上記課題を解決するため請求項１に係る発明は、遊技盤の遊技領域に、変動表示ゲームを実行可能な変動表示装置を配設するとともに、前記変動表示装置の下方側の遊技領域に遊技球の入賞に基づき前記変動表示ゲームを始動可能な始動入賞口を配設し、前記変動表示ゲームの結果態様に関連して遊技者にとって有利な特別遊技状態を発生可能な遊技機において、前記変動表示装置は、複数の図柄を変動表示可能な変動表示部と、前記変動表示部に隣設されて、該変動表示部における変動表示態様と関連付けられて遊技の演出を行う演出装置と、前記変動表示部および演出装置の前面側周縁部を包囲することで該変動表示部および演出装置の前側が開口した凹室を形成する枠体と、で構成され、前記凹室に流入した遊技球を凹室内で転動させる転動部と、前記始動入賞口の上方側へ遊技球を誘導するための誘導部と、を有するステージ部を前記枠体の下辺部であって前記変動表示部前面側と演出装置前面側にわたって設けるようにしたものである。
【００１０】
ここで、演出装置とは変動表示部における変動表示態様と関連付けられて遊技の演出を行う装置であって、例えば変動表示態様に対応して所定の方向に可動、回動等をする可動部材、変動表示部とは別個に設けられ画像等を変動表示して視覚的に演出を行う画像表示部材、ダイオード等の発光部を内設しそれを発光させることにより所定の領域を所定の色彩で発光させる発光装飾部材、変動表示態様に対応して所定の音を発生させるスピーカ等の発音部材などが考えられる。なお、演出装置はこれらの各部材を組み合わせて構成されるものであってもよい。
【００１１】
ここで、前記変動表示部に隣設されて、とは演出装置が変動表示部に対して隣の位置に設けられていることをいい、隣接する位置に設けられることや所定間隔をあけた隣の位置に設けられることを含む。隣の位置とは、例えば、遊技面に向かって変動表示部の右側であってもよいし、左側であってもよい。
【００１２】
また、枠体は変動表示部および演出装置を包囲できる形状であればよく、例えば、変動表示部および演出装置の前面周縁部と当接して包囲する形状としても良いし、変動表示部および演出装置の前面周縁部から所定の距離を隔てて大回りに包囲する形状としてもよい。また、上述したように変動表示部および演出装置を大回りに包囲するように枠体を設けた場合は、ステージ部を変動表示部および演出装置の前面の幅よりも長手方向に広く設けるようにする。
【００１３】
また、ステージ部は枠体と一体的に形成するようにしてもよいし、枠体とは別の部材を配置して構成するようにしてもよい。さらに、ステージ部を構成する転動部は、遊技球が凹室内で転動可能な形状であればよく、転動部上面が遊技盤前面と略垂直な平板状としてもよいし、誘導部に向けて盛り上がった曲面状としてもよい。また、誘導部は転動部を転動する遊技球を所定の流路に誘導可能にする形状であればよく、例えば、転動路の一部に凹みを形成するようにしてもよいし、遊技球の進行方向が所定の流路となるようにする方向変換部材を設けるようにしてもよい。さらに、上記凹室内に遊技球を導入する導入路を設けることもできる。
【００１４】
上記した手段によれば、変動表示部の隣に演出装置が設置されるので、変動表示部で行われる演出表示と密接に連動した遊技の演出が行われることとなる。また、変動表示部および演出装置の前面側にわたってステージ部が形成されるので、凹室内における遊技球の転動領域が広くなる。
【００１５】
請求項２に係る発明は、前記凹室の右面部に隣接して遊技球が流下可能な流下溝を備え、前記流下溝は、前記演出装置の前面から略垂直に前方に突出して前記凹室の右側壁を形成する円弧状の起立壁と、前記遊技領域を形成する区画壁との間に形成され、断面形状において少なくとも遊技球１個分の隙間を有するようにしたものである。
【００１６】
ここで、断面形状において少なくとも遊技球１個分の隙間を有するとは、流下溝を遊技球が１個通過できる面積よりも大きい断面を有する空間が設けられていることをいう。また、流下溝は遊技球を変動表示装置の下方へ誘導するように形成してもよいが、高い確率で凹室内側へ誘導するように形成してもよい。
【００１７】
上記した手段によれば、凹室に隣接して断面形状において少なくとも遊技球１個分の隙間を有する流下溝が形成されるので、変動表示装置の右側に打ち出された遊技球を流下溝の隙間に流動させることができ、該流下溝を通過した遊技球はステージ部を経由して始動入賞口に入賞できる可能性を有する。
【００１８】
請求項３に係る発明は、前記変動表示装置は、側部下方に一体的に形成された側部装飾部材をさらに備え、前記区画壁と連続するように配置されて前記流下溝を連続形成するとともに該流下溝を流下する遊技球を前記ステージ部側に誘導する誘導面が前記側部装飾部材の上面に形成されるようにしたものである。
ここで、側部装飾部材とは遊技を装飾等により視覚的に演出する部材をいい、例えば、装飾飾り、装飾ランプなどがある。
【００１９】
上記した手段によれば、変動表示装置の演出のみでなく、変動表示装置の側部下方に一体的に形成された側部装飾部材が発光される装飾演出が行われる。また、流下溝を連続形成するとともに該流下溝を流下する遊技球をステージ部側に誘導する誘導面が側部装飾部材の上面に形成されるので、遊技球は側部装飾部材の誘導面に沿ってステージ部側に流下誘導されるようになる。
【００２０】
請求項４に係る発明は、前記側部装飾部材は前記流下溝の下端部よりも下方位置に入賞口を設けるように構成したものである。この側部装飾部材は、流下溝の下端部よりも下方位置に入賞口を設ければよく、例えば、側部装飾部材の側部に設けてもよい。
上記した手段によれば、流下溝を流下して下端部より遊技領域下部に放出された遊技球は所定の確率で側部装飾部材に設けられた入賞口へ入賞する。
【００２１】
請求項５に係る発明は、前記ステージ部は、前記変動表示部の前面側に位置する部位よりも前記演出装置の前面側に位置する部位の方が高くなるように設定され、前記ステージ部における前記演出装置の前面側に位置する部位の前方に形成された前面壁に、始動記憶表示部を形成したものである。例えば、ステージ部を変動表示部の前面側に位置する部位と演出装置の前面側に位置する部位との間に段差等を有する略階段状の形状とし、演出装置の前面側に位置する部位から変動表示部の前面側に位置する部位へ遊技球が転動できるような構成などが考えられる。この前面壁の表面に立体的な形状、例えば半球状の始動記憶表示部を形成するようにした。
【００２２】
上記した手段によれば、前記ステージ部における前記演出装置の前面側に位置する部位の前方に形成された前面壁に立体的な形状（例えば、半球状など）の始動記憶表示部を形成できるため、始動記憶表示部を別個独立に遊技領域内に形成する必要がなくなる。したがって、遊技スペースを確保して効率的に利用でき、さらに設計コストを削減できる。また、始動入賞口に始動入賞した始動記憶数に応じた表示演出をより効果的に行うことができる。始動記憶表示部は始動記憶数に応じた数だけランプなどの表示部を点灯させたり、その数字をセグメント表示部に表示させたり、任意の図形を上限始動記憶数（上限として予め設定されている、例えば「４」）で分割し、始動記憶数に応じた数だけその分割された領域を点灯させて行き、始動記憶数が上限始動記憶数に達した場合は図形全体が点灯されるようにする構成であってもよい。
【００２３】
請求項６に係る発明は、前記演出装置を、前記遊技領域を前面側に有する遊技盤の後面側から該遊技盤に取付られる取付部材に設けるようにしたものである。
この取付部材は遊技盤の後面側から取り付けられる構成であればどのような構成でもよく、遊技盤の後面と固定されてもよいし、遊技盤を挟み、遊技盤の開口部を介して遊技盤の前面側の他の部材と固定される構成であってもよい。ここで、取付けられるとは強固に固定できればよく、例えばビス、螺子、釘、鋲などの固定手段により固定することが考えられる。
【００２４】
請求項７に係る発明は、前記ステージ部の前記演出装置の前面側に位置する部位に、遊技球を前記凹室内に導入可能にする導入部と、遊技球を前記導入部側から前記変動表示部側に誘導する傾斜部とを隣接させて形成するようにしたものである。
上記した手段によれば、遊技球は導入部および傾斜部の上面を緩やかに転動して変動表示部側に誘導される。
【００２５】
【発明の実施の形態】
図１は、本発明を適用して好適な遊技機の一例としてのパチンコ遊技機の遊技盤の構成例を示すものである。
図１において、符号１００で示されているのは遊技盤であり、この遊技盤１００の前面に、下方より発射された遊技球を遊技盤上部に誘導する円弧状のガイドレール１０１、遊技球が放出されて流動する遊技領域１５０、変動表示ゲームや遊技者にとって有利な特別遊技状態（大当たり遊技）における演出表示を行なう変動表示装置２００、普通電動役物からなり前記変動表示ゲームの始動条件を与える始動入賞口（特図始動口）を有する始動変動入賞装置１０２、普通図柄表示器１２７の始動条件を与える普図始動ゲート１０３、アタッカーと呼ばれる変動入賞扉１０４を備える特別変動入賞装置１０５、一般入賞口１０７〜１１０、始動変動入賞装置１０２の特図始動口への入賞により始動記憶として記憶された始動記憶数（例えば最大４個）を表示する特図始動入賞記憶表示器（始動記憶表示部）１２１、遊技の演出効果を高める装飾ランプ１２４、打球の流れにランダム性を与える風車と呼ばれる打球方向変換部材１２６と多数の障害釘（図示略）が設けられている。
【００２６】
なお、特に限定されるわけではないが、この実施例では、遊技盤１００に設けられた全ての入賞口１０２〜１１０のそれぞれに対応してそこへ入賞した球を検出するためにマイクロスイッチや非接触型のセンサからなる入賞センサが設けられている。即ち、始動変動入賞装置１０２の特図始動口の内部には特図始動センサＳＳ１が、普図始動ゲート１０３には普図始動センサＳＳ２が配置され、変動入賞扉１０４の内部にはカウントセンサＳＳ３と継続入賞センサＳＳ４、一般入賞口１０７〜１１０の内部には入賞（入賞口）センサＳＳ５〜ＳＳ８がそれぞれ配置されている。そして、遊技球がこれらの変動入賞装置あるいは各種入賞口に入賞すると、特図始動センサＳＳ１，カウントセンサＳＳ３，入賞口センサＳＳ５〜ＳＳ８から入賞球検出信号が後述の遊技制御装置３００へ送られ、遊技制御装置３００から排出制御装置４００へ賞球数データが送信されて、球排出装置による賞球排出が行われるようになっている。
【００２７】
ここで、前記普図始動ゲート１０３への通過球が普図始動センサＳＳ２により検出されると普通図柄表示器１２７が所定時間変動表示動作されると共に、その間にさらに普図始動ゲート１０３への通過球が発生するとその球数が記憶され、その記憶数に応じて普図始動入賞記憶表示器（図示省略）が点灯される。そして、普通図柄表示器１２７の変動表示が停止したときにその表示内容が所定の態様になると前記普通電動役物からなる始動変動入賞装置１０２が開成される。
【００２８】
この開成された始動変動入賞装置１０２あるいは閉成状態の始動変動入賞装置１０２に遊技球が入賞すると液晶表示器（特別図柄表示器）２１０の表示領域（変動表示部）２１０Ｓにおいて複数の識別情報（図柄）による変動表示ゲームが所定時間行われるとともに、その間にさらに始動変動入賞装置１０２への入賞球が発生するとその球数が記憶されその記憶数に応じて特図始動入賞記憶表示器１２１が点灯される。
【００２９】
そして、始動変動入賞装置１０２への入賞に関連して抽出された乱数値の判定を行なった後に、当該判定結果に対応した停止図柄を導出すべく、特別図柄表示器２１０における変動表示を開始し、所定時間経た後に前記停止図柄にて停止して変動表示を終了する。
【００３０】
次いで、前記変動表示の終了を契機に、当該変動表示に係わった前記判定結果が当たりの場合は、変動表示ゲームの結果態様として特別結果態様（例えば、７，７，７）を導出表示させると共に、特別遊技状態を発生させ、前記変動入賞扉１０４が所定時間または所定入賞球数に達するまで開成される。
【００３１】
さらに、前記変動入賞扉１０４内の入賞空間には一般入賞領域と継続入賞領域とが設けられており、継続入賞領域に遊技球が入賞したことを条件として前記変動入賞扉１０４の開成動作が所定回数まで繰り返される。
【００３２】
遊技盤１００における前記のような遊技の進行の制御および遊技制御において使用される乱数の生成は、前記遊技制御装置３００が一連のプログラムを実行することによって行なわれる。また、前記特別図柄表示器２１０における変動表示制御は、遊技制御装置３００とは別個に設けられた演出制御装置５００によって、遊技制御装置３００の制御に従って行われる。
【００３３】
次に、図２に基づいて、遊技制御装置３００と演出制御装置５００の一例を説明する。図２は、遊技制御装置３００と演出制御装置５００の概略構成を示すブロック図である。
図２に示されているように、遊技制御装置３００は遊技に必要な役物制御を行う半導体集積回路化されたワンチップマイコン（広義のＣＰＵ）からなる遊技用マイクロコンピュータ３１１と、水晶発振子の発振信号を分周して所定の周波数のクロック信号を得るクロック生成回路（発振器）３１２と、各種センサからの信号を受け入れる入力インターフェース３１３と、ソレノイドなどの駆動手段に対する駆動信号や他の制御装置に対する制御信号を出力したりする出力インターフェース３１４とを含んで構成される。
【００３４】
前記遊技用マイクロコンピュータ３１１は、演算制御手段としての中央処理ユニット（ＣＰＵ）と、記憶手段としてＲＯＭ（リードオンリメモリ）およびＲＡＭ（ランダムアクセスメモリ）、割込み制御回路（図示省略）などを内蔵しており、いわゆるアミューズチップ用のＩＣとして製造されている。ＣＰＵが行なう遊技進行制御に必要なプログラムや賞球数データはＲＯＭに格納されている。
【００３５】
遊技制御装置３００には、入力インターフェース３１３を介して、始動変動入賞装置１０２内の特図始動センサＳＳ１、普図始動ゲート１０３内の普図始動センサＳＳ２、特別変動入賞装置１０５内の特別の入賞領域に対応した継続入賞センサＳＳ４と特定の入賞領域に対応したカウントセンサＳＳ３、一般入賞口１０７〜１１０内の入賞口センサＳＳ５〜ＳＳ８からの検出信号などが入力される。
【００３６】
一方、遊技制御装置３００からは出力インターフェース３１４を介して、普通図柄表示器（普図表示器）１２７等に対する表示駆動信号、普通電動役物を開閉駆動する普電ソレノイド３５４の駆動信号、演出制御装置５００に対するデータ信号、変動入賞扉１０４を開閉駆動して大入賞口を開閉するアタッカーソレノイド（大入賞口ソレノイド）３５３の駆動信号、排出制御装置４００に対するデータ信号、図示しない遊技店の管理装置に対して大当り発生などのデータを送信する盤用外部情報出力端子（データ出力端子）３５２への信号などが出力される。
【００３７】
なお、遊技制御装置３００には、バックアップ電源３３０が設けられており、停電発生時等において、遊技用マイクロコンピュータ３１１内のＲＡＭに記憶された各種データを保持するようになっている。
【００３８】
演出制御装置５００は、マイクロコンピュータ（ＣＰＵ）５２１、遊技制御装置３００とのインタフェース回路５２２、制御用プログラムを記憶するＰＲＧＲＯＭ５２６Ａ、各種キャラクタ等の画像データを記憶するＣＧＧＲＯＭ５２６Ｂ、ＣＰＵ５２１の作業領域を提供したり遊技制御装置３００から送られて来たデータや表示データを記憶するランダムアクセスメモリ（ＤＲＡＭ）５２４、液晶表示器２１０を表示駆動する画像表示プロセッサ（ビデオディスプレイプロセッサ：ＶＤＰ）５２５、表示すべき画像データを一時的に格納するフレームバッファとしてのＤＲＡＭ５２７などで構成される。
【００３９】
ＣＰＵ５２１には、変動表示ゲームの変動パターン（演出パターン）を決定するための演出パターン決定乱数カウンタ等が設定されたＲＡＭを備えている。
また、ＣＰＵ５２１にはインタフェース回路５２８を介して演出用のスピーカ６０１および装飾用のランプ・ＬＥＤ６０２が接続されている。また、画像表示プロセッサ５２５にはＬＣＤ（液晶ディスプレイ）用のインタフェース回路５２９を介して変動表示装置２００を構成する液晶表示器２１０が接続されている。
【００４０】
演出制御装置５００のＣＰＵ５２１には、インターフェース５２２を介して、前記遊技制御装置３００から変動表示コマンドや停止図柄データ、停止コマンドなどの表示制御情報等が入力される。また、ＰＲＧＲＯＭ５２６Ａには主にプログラム等が、ＣＧＧＲＯＭ５２６Ｂには画像データ（図柄データ、動画キャラクタデータ、背景画データ、テクスチャデータ等）が格納されている。
【００４１】
前記遊技制御装置３００から表示制御情報が入力されるとインターフェース５２２からＣＰＵ５２１に対して受信割込みがかかり、これに応じてＣＰＵ５２１は受信データ（表示制御情報）をＤＲＡＭ５２４のバッファ領域に格納する。そして、ＣＰＵ５２１は遊技制御装置３００からの表示指令信号（コマンド）に基づいて、変動表示ゲームの変動パターン（演出パターン）等を決定し、その決定に基づいて、ＰＲＧＲＯＭ５２６Ａに格納されているプログラムを実行し、２Ｄの画像情報（図柄表示情報、動画キャラクタ画面情報、背景画情報等）を作成したり、３Ｄの画像情報（図柄用オブジェクト、動画キャラクタ用オブジェクト、背景用オブジェクト）の座標演算（ジオメトリ演算）等を行い、これらの演算結果をＤＲＡＭ５２４に格納する。
【００４２】
ＶＤＰ５２５は、ＤＲＡＭ５２４に格納された画像情報に基づいて、２Ｄまたは３Ｄの画像の描画（レンダリング）を行って、フレームバッファとしてのＤＲＡＭ５２７に格納する。そして、ＤＲＡＭ５２７の画像を所定のタイミング（垂直同期信号Ｖ−ＳＹＮＣと水平同期信号Ｈ−ＳＹＮＣに合わせて）で、ＬＣＤインターフェース５２９へ送出して、変動表示装置２００を構成する液晶表示器２１０に出力する。
【００４３】
ＶＤＰ５２５が行う描画処理は、２Ｄと３Ｄの点描画、線描画、トライアングル描画、ポリゴン描画を行い、さらに３Ｄ描画では、テクスチャマッピング（テクスチャリング）、ライティング処理、アルファプレンディング、シェーディング処理（グローシェーディング等）、陰面消去（Ｚバッファ処理等）を行って、ＣＰＵ５２１が設定した３ＤオブジェクトをフレームバッファとしてのＤＲＡＭ５２７へ描画する。なお、フレームバッファは、２Ｄのフレームバッファと３Ｄのフレームバッファをそれぞれ設定しておき、２Ｄの画像を３Ｄの画像に重ね合わせて出力（オーバーレイ）することが可能である。
【００４４】
ＶＤＰ５２５と液晶表示器２１０の間のインターフェース５２９は、変動表示装置２００の種類に応じて適宜選択可能であり、ここでは変動表示装置２００の液晶表示器２１０として液晶ディスプレイを用いたが、ＣＲＴ、ＥＬあるいはプラズマ方式のディスプレイを採用する場合には、これらのディスプレイデバイスに対応するインターフェースを採用することとなる。
【００４５】
ＰＲＧＲＯＭ５２６Ａには、制御プログラム、表示プログラム（仮想３次元空間に相当する３次元座標系にオブジェクトおよび視点を設定するための設定情報を導出するプログラムを含む）等を格納している。
ＣＧＧＲＯＭ５２６Ｂには、変動表示ゲームに用いる識別図柄、背景、動画キャラクタ等の２Ｄデータおよび３Ｄオブジェクトデータ（ポリゴンデータ）、テクスチャデータを格納している。
【００４６】
３Ｄの描画表示は、仮想３次元空間の座標系内に、視点およびＣＧＧＲＯＭ５２６Ｂから読み出した各種のオブジェクトを設定し、そのオブジェクトを変動させたり視点を変位させる、いわゆるジオメトリ演算処理を行う。また、仮想３次元空間の座標系内のオブジェクトを視点に基づく投影平面に投影した２次元座標情報である投影情報を生成する。その投影情報に基づいて、各オブジェクトの各ポリゴンの頂点にテクスチャを合うように変形して、描画を行い、全てのオブジェクトへテクスチャを描画すると、表示画像（フレームバッファとしてのＤＲＡＭ５２７）を液晶表示器２１０に出力する。
【００４７】
なお、入力インターフェース５２２の手前には、信号伝達方向規制手段であるバッファ回路５３０を設けており、遊技制御装置３００から演出制御装置５００への信号入力のみを許容し、演出制御装置５００から遊技制御装置３００への信号出力を禁止するようになっている。
【００４８】
次に、本実施形態の要部を構成する変動表示装置２００の構成について説明する。
図３は変動表示装置の分解斜視図、図４は外観正面図、図５は外観斜視図である。
図３に示されているように、変動表示装置２００は、前記遊技盤１００の表面に取り付けられる前面構成部材２００Ａと、遊技盤１００の裏面に取り付けられる取付部材２００Ｂと、表示装置本体２００Ｃとからなる。遊技盤１００には変動表示装置２００を取り付けるための開口部１００ａが設けられてあり、前面構成部材２００Ａと取付部材２００Ｂは、遊技盤１００としてのベニア板を両面から挟むことにより遊技盤に固定される。具体的には、図３に示すように前面構成部材２００Ａを遊技盤１００の表面側からベニア板の開口部１００ａに挿入して、遊技盤１００の裏面側から取付部材２００Ｂを接合し、位置決め用のボス２５２ｃなどを位置決め穴２２７などに挿入することによって変動表示装置２００が遊技盤１００に取り付けられ、遊技盤１００の略中央部に配置されるセンター役物（センターケース）を構成する。
【００４９】
また、表示装置本体２００Ｃは、内部に図示しない液晶表示基板、表示制御用ＩＣ、表示設定変更用スイッチ、ボリューム調整用プラグ、大当たりや図柄確定の回数を計数するカウンタ、表示制御装置と外部接続する外部端子などを内蔵した基板収納ボックス２０１Ｃを備え、前記液晶表示基板の一部である液晶表示器２１０が取付部材２００Ｂに設けられている開口部２２５ａから視認可能となるように、取付部材２００Ｂの背部から挿入され固定される。
【００５０】
また、変動表示装置２００には、表示装置本体２００Ｃ側の液晶表示器２１０および演出装置２２０の双方の前面側周縁部を前面構成部材２００Ａの開口部２００ａの１つの内周で包囲することで前面側が開口した凹室部（凹室）２５０が形成されている（図５参照）。このように変動表示装置２００は前面構成部材２００Ａの前面に設けられた開口部２００ａから液晶表示器２１０およびこの液晶表示器２１０の右側に隣設されている演出装置２２０を臨めるように構成されている。なお、図４および図５では、前面構成部材２００Ａと取付部材２００Ｂとの関係をわかりやすく表現するために遊技盤１００のベニア板の図示を省略した。
【００５１】
図７は前面構成部材（枠体）２００Ａの斜視図、図８は前面構成部材の分解斜視図を示す斜視図、図９は前面構成部材を遊技盤に取り付けたときの斜視図である。
前面構成部材２００Ａは、変動表示ゲームの特定のイベントに対応して可動する上部可動演出部材２５１と、遊技盤１００の表面に接続される本体枠２５２と、発光ダイオードの発光を利用して演出表現するとともに一般入賞口を内部に包含する側部装飾部材２５３と、液晶表示器２１０および演出装置２２０の前面に位置するステージ部２５４などから構成されている。
【００５２】
前面構成部材２００Ａの本体枠２５２は、図７に示すように、中央が大きく開口した形状をしており、挿入部２５２ａが遊技盤１００の開口部１００ａ（図３参照）へ挿入されて、遊技盤１００の裏面側から装着された取付部材側の液晶表示器２１０、演出装置２２０の前面側周縁部を包囲することによって凹室部（凹室）２５０（図５参照）を形成する。
【００５３】
この本体枠２５２の外周部にはフランジ状の取付基盤が形成されており、この取付基盤が遊技盤１００の表面に当接させられるとともに、ビス等の固定手段で固定されることにより、本体枠２５２が遊技盤１００へ取り付けられる。さらに、図７に示すように本体枠２５２の前面側には、外周に半球状の表面飾り２５５がなされるとともに、飾り部材２５６，２５７などが配置されて装飾されている。
【００５４】
また、本体枠２５２の上方には遊技領域１５０を流動する遊技球が変動表示装置２００の上方から凹室２５０へ進入するのを防止するとともに、遊技球を左側の遊技領域に誘導する鎧部２５８Ａ（図６参照）が設けられている。また、本体枠２５２の右上方には右端に後述する球流路２６８への流下口を有する鎧部２５８Ｂ（図６参照）が設けられている。
【００５５】
また、図７に示すように本体枠２５２の上部には上部可動演出部材２５１として、キャラクターを表形した人形の構造物２５１Ａ，２５１Ｂが配置されている。このうち、左側の上部可動演出部材２５１Ａは、変動表示ゲーム中に発生する特定のイベント、例えば大当たり等が液晶表示画面上の表示態様に関連付けられて、キャラクターの中心部２５１ａ（図４参照）を支持部として左右の時計周りに微小に回動を繰り返し、右側の上部可動演出部材２５１Ｂは、左側の上部可動演出部材２５１Ａの動作と同時にキャラクターの中心部２５１ｂ（図４参照）を支持部としてキャラクターの頭部を微小に上下方向に可動させ、これを繰り返す。これらのキャラクターの動作は図示しないソレノイドの動作に連動されて制御されている。
【００５６】
本体枠２５２の左方には図７に示すように鎖状表面飾り２５９が設けられ、その後方には基板上の発光ダイオードの発光を装飾演出するレンズ装飾部材２６０（図８参照）が設けられている。さらに、本体枠２５２の外周部の前面と当接して遊技球が進入できる開口部を形成しているワープ入口２６１（凹室内へ遊技球を導入する導入口でもある。）と、該ワープ入口２６１に入った遊技球をステージ部材側へ誘導するワープ通路部材２６２などが設けられている。
【００５７】
また、本体枠２５２の右方には円弧状の起立壁２６４（鎧機能もあり遊技球が凹室内に入らないようにする。）が設けられている。この起立壁２６４と、遊技盤に設けられた遊技領域区画壁２６５（図６参照）および側部装飾部材２５３の上面に形成された誘導面２６６を接合して形成された側面とで、遊技球１個分の隙間を有する球流路（流下溝）２６８（図６参照）を形成する。また、本体枠２５２の右側の取付基盤を起立壁２６４に沿って突出させて球流路２６８の奥側の壁面部２８４が形成されており、この壁面部２８４の表面には略六角形状の凹部からなる装飾がなされている。
【００５８】
また、本体枠２５２の裏面側には円筒状の位置決め用ボス２５２ｃ（図７参照）が設けられ、取付部材側の位置決め穴２２７（図９参照）に挿入することにより、前面構成部材２００Ａと取付部材２００Ｂの位置決めがなされる。
また、図７に示すように本体枠２５２の下部にはステージ部２５４が設けられており、凹室２５０内において遊技球が多彩なパターンで転動することを可能としている。
前面構成枠２００Ａは上述したように本体枠２５２をベースとして、本体枠２５２に種々の部材を設けて構成される。
【００５９】
以下に、前面構成枠２００Ａのステージ部２５４について説明する。図７に示すように、ステージ部２５４は、液晶表示器２１０の前面に位置し上面が床板状に構成されたステージ床板部材２６９と、ステージ床板部材２６９の後方に設けられ誘導部を形成する一対のステージ装飾部材２７０ａ，２７０ｂと、演出装置２２０の前面に位置し円弧状の起立壁２６４に隣接しながら凹室部（凹室）２５０の内側壁を形成する導入部２７１と、導入部２７１とステージ床板部材２６９との間に設けられ打球をステージ側へ導入する傾斜部２７２から構成され、遊技球が転動する上記ステージ床板部材２６９、導入部２７１および傾斜部２７２のすべての上面で転動部を形成している。
【００６０】
ステージ床板部材２６９は、上面が滑らかな波形状に湾曲した構造の床板部材であり、本体枠２５２の下辺部の始動変動入賞装置１０２の上方で液晶表示器２１０の前方に位置する部分に配設される。ステージ床板部材２６９における上部に膨出した部位の下部には切欠部が形成されており、本体枠２５２と接合されて始動誘導流路（誘導部）を形成し、始動誘導流路の下流側には始動誘導流路出口（誘導部）２７３を形成する。また、図８に示すように、ステージ床板部材２６９の上部湾曲面の頭頂部には後述する始動誘導流路入口（誘導部）２７４へ打球が流れ易くするための導入溝（誘導部）２７５が設けられ、湾曲面の下端部周辺にはステージ上で転動している打球を遊技領域１５０の下方側へと誘導するステージ落下部２７６が設けられている。ステージ装飾部材２７０ａ，２７０ｂは、図７に示すように、ステージ床板部材２６９の後方に打球一つ分の間隔をおいて設けられ、始動誘導流路入口２７４を形成する（誘導部）。ステージ後部プレート２７８は、図８に示すように、その前面に始動誘導流路入口を示す標識２７９および一対のテーパ状の誘導リブ２７７を有しており、誘導リブが始動誘導流路入口２７４内に臨むように配設される。
【００６１】
ステージ部２５４を構成する導入部２７１および傾斜部２７２は、図７に示すように、本体枠２５２の下辺部に一体に形成されており、ステージ床板部材よりも高くなるように形成されている。すなわち、本体枠２５２の下辺部は、全体として、液晶表示器２１０の前面側に位置しステージ床板部材を配置された部位と演出装置２２０の前面側に位置する部位との間に段差を有する略階段状の形状をしており、上段側に導入部２７１および傾斜部２７２が形成されている。また、本体枠２５２の下辺部の演出装置２２０の前面側に位置する部位の前方に形成された前面壁２８０には、立体的な形状、例えば半球状の始動記憶表示部（始動記憶表示部）２８１が設けられている。始動記憶表示部２８１は始動入賞した始動記憶数に応じた数の始動記憶用ランプ２８１ａ〜２８１ｄからなり、例えば最大４個まで表示できる。始動記憶数は変動表示ゲームが消化されるごとにデクリメント（−１）されるため、それに対応して始動記憶用ランプ２８１ａ〜２８１ｄも消灯される。
【００６２】
導入部２７１は、図７に示すように、遊技盤の後方に向けて高くなるように微小な角度で傾斜している。傾斜部２７２は導入部２７１側の方がステージ床板部材２６９側よりも高くなっている、すなわち、傾斜部２７２は向かって右側の方が高くなるように傾斜している。
【００６３】
上述した構成のステージ部２５４において、遊技球は以下のようにして転動する。すなわち、遊技者の操作により遊技球が遊技領域１５０の上方へ発射されると、この遊技球は遊技領域１５０内を下方へ向けてランダムな流下経路を辿りながら落下する。そして、変動表示装置２００の左側に回り込んだ遊技球の内のいくつかは、ワープ入口２６１またはステージ部２５４の下方から凹室２５０内に取り込まれる。また、変動表示装置２００の右側に設けられた球流路２６８を流下した遊技球のうちのいくつかは、球流路２６８を通過して障害釘２９０に衝突して跳ね返ることにより主に導入部２７１から凹室２５０内に取り込まれる。
【００６４】
このようにして凹室２５０の内部に導入された遊技球は、ステージ床板部材２６９の上面（流下調整部）に流入され、上記ステージ床板部材２６９の上面を転動する。そして、導入溝２７５に嵌った場合は始動誘導流路入口２７４へと導入され始動誘導流路入口２７４内の誘導リブ２７７に衝突して流動方向が変換され、始動誘導流路を流下した後、始動誘導流路出口２７３方向へと流動して始動変動入賞装置１０２を目指して遊技盤下方へと流下される。このように導入溝２７５に嵌って始動誘導流路入口２７４へと導入された遊技球は特図始動口への入賞確率が高くされることになる。一方、導入溝２７５に嵌らなかった遊技球は、そのまま転動を続けて転動方向側のステージ落下部２７６上に乗り、ステージ床板部材２６９から落下して遊技盤下方へと流下されるか、または、何回かステージ床板部材２６９の上面を左右方向に行き来して繰り返し転動し続けて、左右いずれかのステージ落下部２７６から落下して遊技盤下方へと流下される。
【００６５】
このようにステージ部２５４によれば、打球を導入部２７１からステージ床板部材２６９の上面まで転動させるとともにステージ床板部材２６９の上面を左右方向に行き来させ、比較的長い時間転動させ続けることができ、また、左右のステージ装飾部材２７０ａ，２７０ｂの間に形成されている始動誘導流路入口２７４へ打球を落下させることにより始動誘導流路入口２７４へ比較的高い確率で導入させることができる。さらに、導入部２７１、傾斜部２７２および起立壁２６４を備えることにより打球をステージ床板部材２６９へと導入できる。
従って、ステージ上に導入される打球の数を増加させるとともに、ステージ上での打球の流動する方向を多彩に変化させることができるため、遊技の面白みをより増加させられるとともに遊技者の期待感をさらに高められる。
【００６６】
次に、前面構成部材２００Ａの右下方に設けられた、側部装飾部材２５３について説明する。側部装飾部材２５３は、図８に示すように本体枠２５２の右下端部の取付基盤を突出させて形成した突出部２８５に内カバー２８５ａを装着してその上から外カバー２８５ｂをさらに装着することにより形成される。内カバー２８５ａは半透明の蛍光色で表面全体が覆われている。そして、外カバー２８５ｂの楕円形開口部２８５ｃから半透明の内カバー２８５ａ、遊技盤１００の開口部１００ｃ（図３参照）を介して取付部材側の発光ダイオード２８５ｄ…、を複数備えた基板２２３（図９参照）を臨むことができるように構成されている。
したがって、変動表示ゲームの特定のイベントに対応して上記発光ダイオード２８５ｄ…、が発光すると、内カバー２８５ａの半透明の蛍光色を帯びた発光により装飾演出がなされる。
【００６７】
また、外カバー２８５ｂの上面には遊技領域区画壁２６５と接合して遊技球１個分の隙間を有する球流路（流下溝）２６８を形成する誘導面２６６が設けられ（図７参照）、左側面には一般入賞口１０７としての開口が設けられている。この一般入賞口１０７に入賞した入賞球は、表面誘導樋２８６を介して遊技盤の裏面側へ流下処理される。この誘導樋は、遊技盤１００を貫通するように構成されている。すなわち、前面構成部材側の表面誘導樋（表面側）２８６（図７参照）と取付部材側の裏面誘導樋（裏面側）２８７（図９参照）を遊技盤１００の開口部１００ｃに挿入することにより双方の端面同士が接触して、誘導樋が連続するように構成されている。
【００６８】
この側部装飾部材２５３において前記発光ダイオード２８５ｄ…、の発光が内カバー２８５ａを通過することにより蛍光色を帯びた発光の装飾演出ができるため、変動表示ゲームの演出効果をさらに高めることができる。また、側部装飾部材２５３は一般入賞口１０７を側面に有するため、球流路２６８へ流入した打球が無駄球になる確率が下がり遊技の面白みが高くなる。従って、遊技者が鎧部２５８Ｂの右側方向へ打球を流す打ち方も取れるようにして、遊技のやり方のバリエーションを増加させて、遊技の興趣を高めることができる。
【００６９】
次に、遊技球１が遊技領域の右側へ打たれた場合の遊技球の流路について図６を参照して説明する。遊技球１が遊技レール１０１に沿って発射されて遊技領域に打ち出され、本体枠２５２の上部右側の鎧部２５８Ｂに流下されると、鎧部２５８Ｂに沿って右側に転動され導入口から球流路２６８に誘導される。そして、遊技球１は球流路２６８を通過して球流路２６８の下端において誘導面２６６によりステージ部方向に誘導されて変動表示装置の下方の遊技領域に放出されて障害釘２９０に衝突する。
【００７０】
ここで遊技球１が下方へ流下または左下方へ跳ね返った場合は、そのまま遊技盤１００の下方へ流動される。また、右下方へ跳ね返った場合は、側部装飾部材２５３の右側面上に設けられている一般入賞口１０７へ入賞する可能性が高い。一方、左上方へ跳ね返った場合は、ステージ部２５４の導入部２７１の上面に遊技球１が誘導されて傾斜部２７２を介してステージ床板部材２６９の始動誘導流路入口２７４へと誘導されていく可能性が高い。
【００７１】
なお、これらの一連の遊技球の流れの傾向は、球流路２６８の下端から放出されてから最初に衝突する障害釘２９０の曲がり具合などの釘調整の程度によって大きく左右されることになる。
【００７２】
図９は、本実施形態に係る遊技機の取付部材の斜視図である。
取付部材２００Ｂは、概略して説明すると、例えば透明な樹脂などからなる取付本体枠２３０と、各種イベントの発生に関連付けられた演出表現を行う演出表示器２２１および可動演出部材２２２とで構成される演出装置２２０、始動記憶表示部用などの各種ダイオード、抵抗、ＩＣなどが配設されている基板２３５から構成されている。
【００７３】
この演出表示器２２１は、前記表示装置本体２００Ｃが挿入される開口部２２５ａが左側に形成されたベース基盤２２４の右側表面に取り付けられた格子状の発光部材２２１Ｕと、発光部材２２１Ｕの背部の基板２３５に搭載されている発光体（ＬＥＤ）とにより構成されている。より詳細に説明すると格子状に形成された白色の発光部材２２１Ｕは、縦方向と横方向の格子の各交点に装飾レンズ部２２１Ｕ１〜２２１Ｕ９が形成され、格子の右端に上、中、下の３つの結果表示レンズ部２２１Ｕａ，２２１Ｕｂ，２２１Ｕｃが形成されている。各レンズ部の背部には必ず発光ダイオードのような発光体が配置されている。さらに発光部材２２１Ｕの格子の部分の背部にも適当な間隔で発光体が配置されている。これらの発光体を適当に発光させることにより、数字や符号を発光部材にて表示させることができる。上記結果表示レンズ部２２１Ｕａ〜２２１Ｕｃのうち、中央部の大当たりレンズ部２２１Ｕａは、大当たり結果に関連付けられて発光表示され、他の２つのはずれレンズ部２２１Ｕｂ，２２１Ｕｃ（上、下）は、はずれ結果に関連付けられて発光表示される。なお、大当たり結果になると、大当たりレンズ部２２１Ｕａが発光表示すると共に、可動演出部材２２２が上方へ可動する。
【００７４】
取付本体枠２３０は、遊技盤１００に裏側からビスなどの固定手段によって螺着される強固な枠であって例えば、透明な合成樹脂などから形成されており、中央には前記表示装置本体２００Ｃの表示部が臨む開口部が形成されている。この取付本体枠２３０の前面に、各種イベントの発生に関連付けられた演出表現を行う前記演出表示器２２１と可動演出部材２２２とを有する上記ベース板２２４が、開口部同士が一致するように位置決め固定されている。
【００７５】
また、図９に示すように、後述する前面構成部材２００Ａに構成されている上部可動演出部材２５１を可動させるためのソレノイドの配線などを遊技盤１００の裏面側へ誘導するために配線用開口２４０が取付本体枠２３０の上部に設けられている。
【００７６】
この取付本体枠２３０は、図５に示すように、前面構成部材２００Ａの前面に設けられた開口部２００ａから凹室部（凹室）２５０の底面において上記液晶表示器２１０、演出表示器２２１および可動演出部材２２２が臨めるような状態に配置された後、前面構成部材２００Ａおよび遊技盤１００と接合されて固定される。より詳細には、図９に示すように前面構成部材２００Ａ側に設けられている図示しない位置決め用のボスを取付本体枠２３０の右上方に設けられている位置決め穴２２６に、他の位置決め用のボス２５２ｃを取付本体枠２３０の左上方に設けられている位置決め穴２２７に挿入することにより前面構成部材２００Ａと取付部材２００Ｂの位置が決定される。
【００７７】
なお、取付本体枠２３０の右下方に設けられている位置決め凸部２２８は、遊技盤１００側に設けられている図示しない位置決め用の凹部に挿入され、取付部材２００Ｂの遊技盤１００に対する位置決めがなされる。
【００７８】
このような形状に取付本体枠２３０が構成されていることにより前面構成部材２００Ａのみを遊技盤１００の表面に配置して、取付部材２００Ｂと表示装置本体２００Ｃは裏面側に配設できる。従来は、前面構成部材に演出装置を配設して、その裏面に表示装置本体を遊技盤の裏面側から接合させていたため、取付部材の大きさが設計上制限される傾向にあったが、上記構成によれば、大きな可動演出装置などを取付部材に配設することが可能となる。
したがって、大型の可動演出部材２２２や演出表示器２２１などの演出装置２２０を遊技盤の裏面側から配設して、視覚的に大きな演出効果を発揮できるため、遊技者に大きな期待感を与え遊技のゲーム性をさらに高めることができる。
【００７９】
また、前面構成部材２００Ａと取付部材２００Ｂを別々に設け、それぞれ遊技盤１００の前後から位置決めすることにより接続する構成をとっているため、大型の取付部材２００Ｂを安定に配設可能となる。このため、取付部材の内部に配設されるダイオード、抵抗、などの各種回路を備えた基板や，効果音を発生するスピーカ、や各種制御用の回路やメモリを内蔵したＩＣ、配線コード、外部接続端子などの大きさの自由度が増すとともに、取付部材に含まれる各種配線の整備調整および遊技店側のメンテナンス、大当たり確率の設定変更を容易に行うことができる。
【００８０】
次に、演出表示器２２１および可動演出部材２２２の具体的な動作を説明する。
まず、通常モードの変動表示ゲームにおいて実行されるリーチ予告について説明する。
このリーチ予告とは通常モードの変動表示ゲームにおいて変動演出パターンがリーチゲームとなることを予告する演出をいう。このリーチ予告は、例えば、所定の乱数が抽出されて変動演出パターンがリーチゲームとなった時（以下、リーチ発生時と呼ぶ。）に必ず行うようにしてもよいが、本実施の形態ではリーチ発生時にその何分の一かの確率（例えば、１／３）で表示装置側にて演出制御を行ってリーチ予告を行うようにした。これにより、リーチ予告が行われた場合は、確実に次の変動表示ゲームの変動演出パターンがリーチゲームとなるため、遊技者は次の変動表示ゲームがリーチゲームとなることを予め知ることができ遊技に対する期待感を極めて高めることができる。一方、変動表示ゲーム中においてリーチ予告が行われない場合であっても、変動表示ゲームの変動演出パターンがリーチゲームとなる可能性を残すことができるため、変動表示ゲームが通常の表示態様であっても遊技者にリーチに対する期待感を与えることができる。
【００８１】
本実施形態では、図１０に示すように変動表示ゲーム中に演出表示器２２１の中心部から外側に向けて光点が広がるような変動演出表示（爆発するような表示）によりリーチ予告を行う。例えば、図１０（ａ）に示すように、変動表示ゲームが開始され液晶表示器２１０の表示領域２１０Ｓ上に３桁の図柄が変動表示されると、まず、演出表示器２２１の表面の格子状の発光部材２２１Ｕの中心部にある装飾レンズ部２２１Ｕ５の後方の発光体が点灯する。それとともに、可動演出部材２２２は回転支持部２２２ａを中心として上方へ回動して大当たりレンズ部２２１Ｕａが表出される。所定の時間が経過した後、図１０（ｂ）に示すように、格子状の発光部材２２１Ｕの中心部周辺の格子部分の後方の発光体がさらに点灯して、全体として格子状の発光部材２２１Ｕ上に十字の形状の発光表示ＣＲがなされるとともに、可動演出部材２２２は回転支持部２２２ａを中心として下方へ回動して、再び大当たりレンズ部２２１Ｕａは握りこぶし形状の可動演出部材２２２により隠される。その後、所定の時間が経過すると、図１０（ｃ）に示すように、格子状の発光部材２２１Ｕの中央部の格子部分の後方の発光体がさらに点灯して、全体として、格子状の発光部材２２１Ｕ上に大十字と小十字を組み合わせた形状の発光表示ＢＲがなされるとともに、可動演出部材２２２は回転支持部２２２ａを中心として上方へ回動して、大当たりレンズ部２２１Ｕａの後方の発光体が点灯される。
【００８２】
演出表示器２２１および可動演出部材２２２による図１０（ａ）〜図１０（ｃ）のような動作が繰り返し行われることにより、演出表示器２２１では発光点が爆発して再び収束する演出表現が可能となる。このように液晶表示器２１０の演出表示態様と関連付けされず別個独立に演出表示器２２１と可動演出部材２２２でインパクトの強い視覚的な演出を行うことができる。そのため、遊技者のリーチゲームへの期待感を効率良く高めることができる。
【００８３】
なお、抽選の結果が大当たりとなった場合（以下、大当たり発生時と呼ぶ。）に、当該変動表示ゲーム開始時において上述したような演出表示器２２１と可動演出部材２２２による予告（大当たり予告）を行ってもよい。この場合、リーチ予告の演出態様とは異なり、より派手な演出態様としてもよい。
【００８４】
次に、演出表示器２２１および可動演出部材２２２で実行されるリーチ演出について説明する。リーチ演出とは所定の乱数が抽出されて変動演出パターンがリーチゲームとなった場合に実行される変動表示ゲームの演出をいう。
リーチ演出は一般に、図１１（ａ）に示すように、例えば、まず液晶表示器２１０の表示領域２１０Ｓ上に右、左の欄の順に図柄（例えば「７」の図柄）が停止され、リーチ態様が形成されて、中の欄の図柄が変動を続ける状態で、液晶表示画面上に各種キャラクターおよび背景などの画像が変動表示されたり、中の図柄が停止する際の変動速度を減速させたり、停止図柄が上下に１コマずつずれたりする停止態様の演出表現がなされている。
【００８５】
本実施形態では、変動表示ゲームにおいてリーチ態様が発生した場合に、液晶表示器２１０の演出態様と連動して演出表示器２２１および可動演出部材２２２でリーチ演出が実行される。
この本実施形態におけるリーチ演出は、所定の乱数が抽出されて抽選された結果、変動演出パターンがリーチゲームのうち特定のリーチであるスペシャルリーチであると判定された場合に実行される。このスペシャルリーチとは変動表示ゲームの結果が大当たり停止図柄となる期待感が通常のリーチよりも高いリーチ変動演出パターンをいう。
【００８６】
図１１を参照して本実施形態におけるリーチ演出の一例を説明する。まず、所定の乱数が抽出されスペシャルリーチの発生が決定されてスペシャルリーチ変動演出パターンに対応する変動表示ゲームが開始されると、図１１（ａ）のように左右に同一の図柄が停止表示され、次に図１１（ｂ）に示すように、液晶表示器２１０の表示領域２１０Ｓ上に右、左の欄の停止図柄、例えば「７，７」が拡大表示されるとともに中の欄の図柄が表示領域２１０Ｓ上から消える。それとともに、中の欄の変動表示に代えて演出表示器２１１に変動図柄、例えば「６」、「７」…が順次切り替わりながらセグメント表示により発光表示される。そして、所定の時間経過した後、予め抽選により決定されている停止図柄、例えば「６」が演出表示器２１１にセグメント表示により発光表示されて変動表示ゲームが終了する。
【００８７】
所定の乱数が抽出されることにより大当たりでないと判定された場合は、停止図柄は「７」以外（図１１（ｂ）では「６」）となるが、大当たりであると判定された場合は、停止図柄は「７」（図１１（ｃ）参照）となり演出表示器２１１に停止図柄、例えば「７」が所定の期間、セグメント表示により発光表示されるとともに、可動演出部材２２２は回転支持部２２２ａを中心として上方へ回動して、大当たりレンズ部「○」２２１Ｕａの後方の発光体が点灯される。
なお、演出表示器２１１に変動表示される図柄は、点滅されていても良いし、各セグメントごとに順に表示させるようにしてもよい。
【００８８】
このように演出表示器２１１の表面の格子状の発光部材２２１Ｕにスペシャルリーチゲームにおける変動図柄、例えば「６」，「７」…などをセグメント表示制御により表示することができるため、遊技者に対してリーチ演出を効果的に行うことができる。また、可動演出部材２２２が回転支持部２２２ａを中心に半円弧状に上下方向に回動して、大当たりレンズ２２１Ｕａを塞いだり表出させたりして動的に演出表示できるため、遊技者に対してはらはらどきどきさせるような感覚を与えることができる。
【００８９】
このように液晶表示器２１０の演出表示態様と関連付けて演出表示器２２１と可動演出部材２２２でインパクトの強い視覚的な演出を行うことができる。そのため、遊技者の大当たりへの期待感を効率良く高めることができる。
【００９０】
次に図１２を参照して本実施形態におけるリーチ演出の他の例について説明する。まず、所定の乱数が抽出されスペシャルリーチの発生が決定されスペシャルリーチ変動演出パターンに対応する変動表示ゲームが開始されると、図１２（ａ）のように左右に同一の停止図柄が停止表示され、次に図１２（ｂ）に示すように、液晶表示器２１０の表示領域２１０Ｓの上方にリーチ変動演出態様「７，−，７」（「−」は変動中を示す）が表示され右側に「当り」、「外れ」の画像が複数個、例えば５個表示されるとともに、演出表示器２２１は格子状の発光部材２２１Ｕを利用したスペシャルリーチゲームとしての阿弥陀くじゲームを実行する（図１２（ｂ），（ｃ））。
【００９１】
ここで、表示領域２１０Ｓの右側に表示される「当り」、「外れ」の画像の種類、配列パターンは複数用意され、大当たりまたは外れとなる割合を変更できる。図１２では、１種類の当たり画像「当り」が２個、１種類のはずれ画像「外れ」が３個、配列されているので、表示上では「外れ」で確定する確率が高くなる。これに対して、変動表示ゲームの結果が大当たりとなる場合には、有利なパターン（例えば、「当り」画像の割合が高い配列パターン）を選択し易いように制御している。従って、遊技者は「当り」、「外れ」の画像の配列パターンの選択結果によって大当たりが発生する確率（信頼度）を推測することができる。
【００９２】
このスペシャルリーチゲームとしての阿弥陀くじゲームではまず、可動演出部材２２２が回転支持部２２２ａを中心として上方へ回動されて大当たりレンズ部２２１Ｕａの後方の発光体が点灯され、次に大当たりレンズ部２２１Ｕａから阿弥陀くじゲームが進行され、表示領域２１０Ｓの右側に表示される「当り」、「外れ」画像のいずれかに到達する。そして、阿弥陀くじゲームで「当り」画像３２，３４のいずれかに到達した場合は液晶表示器２１０の表示領域２１０Ｓの上方に大当たり停止態様「７，７，７」が表示されて表示上で大当たりが確定される（図１２（ｃ））。
【００９３】
ここで阿弥陀くじゲームが進行する進行態様は複数パターン用意されており、ゲーム毎に任意のパターンが選択されるため、阿弥陀くじゲームが任意の経路を選択しながら進行して、大当たりレンズ部２２１Ｕａから表示領域２１０Ｓの右側に表示される「当り」、「外れ」画像のいずれかに到達するかのごとく表示することができる（図１２（ｂ）および（ｃ））。
【００９４】
図１２（ｃ）は、阿弥陀くじゲームで「当り」画像３２に到達した場合の演出表示器２１１の点灯状態の一例を示す。つまり、大当たりレンズ部２２１Ｕａをスタートとした阿弥陀くじゲームは「当り」に到るいずれかの経路が点灯され、液晶表示器２１０では「７，７，７」が大当たり図柄として確定される。
このように発光部材２２１Ｕの右端側から左端側まで到達する経路の表示制御を行い、大型の格子状に形成された発光部材２２１Ｕを用いて阿弥陀くじゲーム演出を実行できるため、制御装置内で行われている各種乱数の抽選結果を、リアルタイムの阿弥陀くじゲームで決定されるかのごとく遊技者に表示できる。これによって、スペシャルリーチゲームにおける変動表示過程において、遊技者に大きな期待感を与えることができるため、遊技者の遊技に対する興趣が増して、遊技のゲーム性をさらに高めることができる。
【００９５】
次に、変動表示ゲームにおいて大当たり停止図柄となった後に実行される再抽選ゲームについて説明する。
本実施形態では、変動表示ゲームにおいて大当たり停止図柄が導出された時点では大当たりは確定するものの確率変動大当たり（特別遊技状態終了後に、大当たりとなる確率が通常モード用に設定された確率よりも高い確率に変動された確率変動ゲームが開始される大当たり：本実施形態では奇数のゾロ目）または非確率変動大当たり（特別遊技状態終了後に、大当たりとなる確率が通常モード用に設定された通常の変動ゲームが開始される大当たり：本実施形態では偶数のゾロ目）の何れになるかは確定せず、その後に演出装置２２０で再抽選ゲームを実行して何れの大当たりであるかを決定するようにしている。つまり、変動表示ゲームの結果が非確率変動大当たりとなった場合でも、再抽選ゲームにより確率変動大当たりを獲得できる可能性を残している。
【００９６】
なお、上記再抽選ゲームで導出される結果態様は、例えば変動表示ゲームの開始当初で既に所定の乱数が抽出されることにより決定されていて、既に決定されている結果態様と一致するように表示制御が行われている。
まず、変動表示ゲームの結果が大当たりとなった場合は、図１３（ａ）に示すように、液晶表示器２１０の表示領域２１０Ｓ上には大当たり図柄（図では「６，６，６」の非確率変動大当たり図柄）が表示されて、可動演出部材２２２は通常ゲーム時と同様に大当たりレンズ部２２１Ｕａを握りこぶしで隠した状態となっている。
【００９７】
そして、変動表示ゲームで大当たり図柄が導出された後、所定の期間経過すると再抽選ゲームが開始される。このとき、液晶表示器２１０では表示領域２１０Ｓの右側に大当たり図柄が複数個、上下方向に配列表示され、演出表示器２２１では可動演出部材２２２が回転支持部２２２ａを中心として上方へ回動されて大当たりレンズ部２２１Ｕａが表出されるとともに、発光部材２２１Ｕを利用した阿弥陀くじゲームが実行される（図１３（ｂ），（ｃ））。
【００９８】
ここで、表示領域２１０Ｓの右側に表示される大当たり図柄画像の種類および配列パターンは複数用意され、確率変動大当たりまたは非確率変動大当たりとなる割合を変更できる。図１３では、３種類の確率変動大当たり図柄（１１１，３３３，７７７）と、２種類の非確率変動大当たり図柄（６６６，２２２）とが配列されているので、表示上では確率変動大当たりで確定する確率が高くなる。
【００９９】
この再抽選ゲームでは、大当たり図柄４１〜４５に近傍する位置の格子辺から阿弥陀くじゲームが進行され、はずれレンズ部２２１Ｕｂ，２２１Ｕｃまたは大当たりレンズ部２２１Ｕａのいずれかに到達する。そして、阿弥陀くじゲームで大当たりレンズ部２２１Ｕａに到達した図柄が大当たり図柄として確定される。例えば、配列された大当たり図柄の上方から次第に阿弥陀くじゲームを進行していき、何れかの大当たり図柄に対応する阿弥陀が大当たりレンズ部２２１Ｕａに到達した時点で阿弥陀くじゲームを終了してもよいし、阿弥陀くじゲームのスタートとなる大当たり図柄を所定数（例えば３個）だけ選択し、それらの図柄に対応する阿弥陀のみを実行するようにしてもよい。
【０１００】
図１３（ｂ）は、大当たり図柄「６，６，６」が選択され、はずれレンズ部２２１Ｕｂ「×」に到達した場合の阿弥陀の進行経路である。つまり、大当たり図柄４１をスタートとした阿弥陀くじゲームははずれとなり、「６，６，６」は大当たり図柄ではないこととなる。
図１３（ｃ）は、大当たり図柄「３，３，３」が選択され、大当たりレンズ部２２１Ｕａ「○」に到達した場合の阿弥陀の進行経路である。つまり、大当たり図柄４３をスタートとした阿弥陀くじゲームは当たりとなり、液晶表示器２１０では「３，３，３」が大当たり図柄として確定される。
【０１０１】
また、再抽選ゲームにおいて当たりが確定して大当たりレンズ部２２１Ｕａ「○」が発光されると同時に可動演出部材２２２が回転支持部２２２ａを中心に半円弧状に回動して、大当たりレンズ部２２１Ｕａを遊技者に表示しているが、可動演出部材２２２は大当たり確定後は他の装飾部材の発光やスピーカから発音される効果音の発生タイミングで一定周期ごとに回動してもよい。
【０１０２】
このように、発光部材２２１Ｕの左端側から右端側まで到達する経路の表示制御を行い、大型の格子状に形成された発光部材２２１Ｕを用いて阿弥陀くじを実行できるため、制御装置内で行われている各種乱数の抽選結果をリアルタイムに実行されて阿弥陀くじで決定されるかのごとく遊技者に表示できる。これによって、再抽選ゲームにおける変動表示過程において、遊技者に大きな期待感を与えることができるため、遊技者の遊技に対する興趣が増して、遊技のゲーム性をさらに高めることができる。
【０１０３】
本実施形態のパチンコ遊技機は、液晶表示器２１０の表示画面の隣に演出表示器２２１を設置し、さらには演出表示器の右端に可動演出部材２２２を配設しているため、上述したように液晶表示画面上で行われる演出表示と密接に連動してインパクトの強い視覚的な演出を行うことができる。そのため、遊技者の大当たりへの期待感を効率良く高めることができる。
【０１０４】
以上のように、本実施の形態のパチンコ遊技機によれば、変動表示部の隣に演出装置が設置されるとともに、変動表示部で行われる演出表示と連動した遊技の演出が行われるため、変動表示部と別個の演出装置にて独自の演出表現を行えるため大きな演出効果を発揮できる。また、変動表示部および演出装置の前面側周縁部を包囲して前側が開口した凹室が形成され、この凹室を形成する枠体の下辺部であって変動表示部前面側と演出装置前面側にわたってステージ部が設けられるため、ステージ部の横幅を変動表示部の横幅より広く形成できる。そして、凹室内に流入された遊技球は、凹室内の転動部を転動し誘導部により前記始動入賞口の上方側へ誘導されるため、ステージ部を転動する遊技球の変化を短時間で終わらせずに、複雑で多彩にすることができるとともに、始動入賞口の上方に遊技球が存在する時間を増加できる。
【０１０５】
また、凹室の右面部に隣接して遊技球が流下する流下溝により、遊技球を遊技領域右側に流下させることができる。また、流下溝は円弧状の起立壁と、前記遊技領域を形成する区画壁との間に形成され断面形状において少なくとも遊技球１個分の隙間を有するため、遊技領域右側へ放出された遊技球を区画壁に衝突させた後に必ず流下溝の隙間を流下させることができ、該流下溝を通過した遊技球をステージ部を経由して始動入賞口に入賞させることが可能となる。また、起立壁が区画壁とにより遊技球１個分の隙間を有する流下溝を形成するため起立壁を遊技領域の中心から大きく偏位した位置に形成することができ、これによって凹室を大きくすることができるようになる。
【０１０６】
また、変動表示装置の側部下方に一体的に形成された側部装飾部材が発光され装飾演出が行われるため、変動表示装置の演出を遊技領域全体で行え演出効果を高めることができる。また、流下溝を連続形成する誘導面が側部装飾部材の上面に形成され、遊技球を側部装飾部材の誘導面に沿ってステージ部側に流下誘導できる。また、区画壁と連続するような誘導面を別個独立に形成する必要がなくなり、設計コストを削減できる。また、側部装飾部材の上面を区画壁に隣接させて流下溝を連続形成するため、遊技機の組立工程を簡略化できる。
【０１０７】
また、側部装飾部材は、流下溝の下端部よりも下方位置に入賞口を設ける構成により、流下溝を流下して下端部より遊技領域下部に放出される遊技球は所定の確率で入賞口へ入賞できる。従って、流下溝を流下した遊技球が無駄球になる確率が下がり遊技の興趣を高めることができる。
【０１０８】
また、ステージ部における演出装置の前面側に位置する部位の前方に形成された前面壁に立体的な形状（例えば、半球状など）の始動記憶表示部を形成できるため、始動記憶表示部を別個独立に遊技領域内に形成する必要がなくなる。したがって、遊技スペースを確保して効率的に利用でき、さらに設計コストを削減できる。また、始動入賞口に始動入賞した始動記憶数に応じた表示演出をより効果的に行うことができる。
【０１０９】
また、演出装置は、遊技領域を前面側に有する遊技盤の後面側から該遊技盤に取付られる取付部材に設けるように構成されているため、演出装置を変動表示部に近接させたり、略同一平面上に配設することが可能となり、変動表示ゲームを効率よく演出することができる。また、大型の演出装置などを配設することが可能となり、大きな演出効果を発揮できる。
【０１１０】
また、ステージ部の演出装置の前面側に位置する部位に、遊技球を凹室内に導入可能にする導入部と、遊技球を導入部側から変動表示部側に誘導する傾斜部とを隣接させて形成しているため、遊技球を導入部および傾斜部の上面を緩やかに転動させて変動表示部側のステージ部に誘導でき、ステージ部を転動する遊技球の変化を短時間で終わらせずに、複雑で多彩にすることができるとともに、始動入賞口の上方に遊技球が存在する時間を増加できる。また、導入部と傾斜部が隣接して形成されることにより、変動表示部側のステージ部に遊技球を高い確率で誘導できるため、遊技球をステージ部の下方の始動入賞口に始動入賞させる確率を高められ遊技の興趣を高めることができる。
【０１１１】
以上本発明者によってなされた発明を実施形態に基づき具体的に説明したが、本明細書で開示された実施の形態はすべての点で例示であって開示された技術に限定されるものではないと考えるべきである。すなわち、本発明の技術的な範囲は、上記の実施形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【０１１２】
例えば、本実施形態においては、液晶表示器２１０の隣に配置される演出装置２２０を演出表示器２２１と可動演出部材２２２で構成しているが、演出表示器または可動演出部材のそれぞれ単体で構成するようにしてもよいし、その他の例えば変動表示部とは別個に設けられ画像等を変動表示して視覚的に演出を行う画像表示部材で構成してもよい。
その他、本発明は、パチンコ遊技機に限らずその他の遊技機、例えばパチコン遊技機やアレンジボール遊技機等にも適用可能である。
【０１１３】
【発明の効果】
本発明によれば、変動表示部の隣に演出装置が設置されるとともに、変動表示部で行われる演出表示と連動した遊技の演出が行われるため、変動表示部と別個の演出装置にて独自の演出表現を行えるため大きな演出効果を発揮できる。また、変動表示部および演出装置の前面側周縁部を包囲して前側が開口した凹室が形成され、この凹室を形成する枠体の下辺部であって変動表示部前面側と演出装置前面側にわたってステージ部が設けられるため、ステージ部の横幅を変動表示部の横幅より広く形成できる。そして、凹室内に流入された遊技球は、凹室内の転動部を転動し誘導部により前記始動入賞口の上方側へ誘導されるため、ステージ部を転動する遊技球の変化を短時間で終わらせずに、複雑で多彩にすることができるとともに、始動入賞口の上方に遊技球が存在する時間を増加できる。
【０１１４】
また、演出装置は遊技領域を前面側に有する遊技盤の後面側から該遊技盤に取付られる取付部材に設けるように構成されているため、大型の演出装置などを配設することが可能となり、大きな演出効果を発揮できる。
【０１１５】
また、ステージ部の演出装置の前面側に位置する部位に、遊技球を凹室内に導入可能にする導入部と、遊技球を導入部側から変動表示部側に誘導する傾斜部とを隣接させて形成しているため、遊技球を導入部および傾斜部の上面を緩やかに転動させて変動表示部側のステージ部に誘導でき、遊技球をステージ部の下方の始動入賞口に始動入賞させる確率を高められ遊技の興趣を高めることができる。
【図面の簡単な説明】
【図１】本発明を適用して好適な遊技機の一例としてのパチンコ遊技機の遊技盤の構成例を示すものである。
【図２】上記遊技盤の裏面を含むパチンコ機の裏側に設けられる制御系全体の構成例を示すブロック図である。
【図３】本発明の実施形態に係る遊技機の変動表示装置の分解斜視図である。
【図４】本発明の実施形態に係る遊技機の変動表示装置の外観正面図である。
【図５】本発明の実施形態に係る遊技機の変動表示装置の外観斜視図である。
【図６】本発明の実施形態に係る遊技機における遊技球の流路を示す図である。
【図７】本発明の実施形態に係る遊技機の前面構成部材の斜視図である。
【図８】本発明の実施形態に係る遊技機の前面構成部材の分解斜視図である。
【図９】本発明の実施形態に係る遊技機の取付部材の斜視図である。
【図１０】本発明の実施形態に係る遊技機におけるリーチ予告の一例を示す図である。
【図１１】本発明の実施形態に係る遊技機におけるリーチ演出の一例を示す図である。
【図１２】本発明の実施形態に係る遊技機におけるリーチ演出の他の一例を示す図である。
【図１３】本発明の実施形態に係る遊技機における再抽選ゲームの一例を示す図である。
【符号の説明】
１    遊技球
１００    遊技盤
１５０    遊技領域
１０２    始動変動入賞装置（始動入賞口）
１０３    普図始動ゲート
１０５    特別変動入賞装置
１０７〜１１０    一般入賞口（入賞口）
１２１    特図始動入賞記憶表示器
１２４    装飾ランプ
２００    変動表示装置
１００ａ    開口部
２００Ａ    前面構成部材（枠体）
２００ａ    開口部
２００Ｂ    取付部材
２００Ｃ    表示装置本体
２１０    特別図柄表示器（液晶表示器、変動表示部）
２１０Ｓ    表示領域（変動表示部）
２２０    演出装置
２２１    演出表示器（演出装置）
２２１Ｕ    発光部材
２２１Ｕ１〜２２１Ｕ９    装飾レンズ
２２１Ｕａ    大当たりレンズ
２２１Ｕｂ，２２１Ｕｃ    はずれレンズ
２２２    可動演出部材（演出装置）
２２２ａ    回転支持部
２２５ａ    開口部
２２７    位置決め穴
２２８    位置決め凸部
２３０    取付本体枠
２５０    凹室部（凹室）
２５１    上部可動演出部材
２５２    本体枠
２５２ａ    挿入部
２５２ｃ    位置決め用のボス
２５３    側部装飾部材
２５４    ステージ部材（ステージ部、転動部、誘導部）
２５８Ａ，２５８Ｂ    鎧部
２６４    起立壁
２６５    遊技領域区画壁
２６６    誘導面
２６８    球流路（流下溝）
２６９    ステージ床板部材（ステージ部、転動部、誘導部）
２７０ａ，２７０ｂ    ステージ装飾部材（誘導部）
２７１    導入部（ステージ部、転動部）
２７２    傾斜部（ステージ部、転動部）
２７６    ステージ落下部
２８０    前面壁
２８１    始動記憶表示部
２８１ａ〜２８１ｄ    始動記憶用ランプ
２９０    障害釘
３００    遊技制御装置
３１１    遊技用マイクロコンピュータ
４００    排出制御装置
５００    演出制御装置
５２１    マイクロコンピュータ（ＣＰＵ）
５２５    画像表示プロセッサ
６０１    演出用のスピーカ
６０２    装飾用のランプ・ＬＥＤ
【図１】
2004313598.tif 000003
【図２】
2004313598.tif 000004
【図３】
2004313598.tif 000005
【図４】
2004313598.tif 000006
【図５】
2004313598.tif 000007
【図６】
2004313598.tif 000008
【図７】
2004313598.tif 000009
【図８】
2004313598.tif 000010
【図９】
2004313598.tif 000011
【図１０】
2004313598.tif 000012
【図１１】
2004313598.tif 000013
【図１２】
2004313598.tif 000014
【図１３】
2004313598.tif 000015